(57)【要約】【課題】低コストで省スペースな分電盤及び分電盤の取付け方法を提供する。【解決手段】あらかじめ、内壁下地材７の設置幅に盤下地４が納まるよう、盤下地４の幅を調整しておき、内壁下地材７を施工した後に、分電盤１を設置したい所望位置に対して盤下地４内を壁下地材７に固定手段を用いて締結する。次に、盤下地４の幅と同様になるように、扉下地８の幅を調整した後、盤下地４の上下の位置で、上下の扉下地８の設置間隔が、後に取り付ける扉ユニット５３の高さに相当する間隔を確保するように、内壁下地材７に扉下地８を固定手段を用いて締結する。この後、内壁下地材７に対して内壁ボードを取り付け、クロス等の仕上げを施工して内壁を仕上げた後、分電盤１の設置位置を開口し、盤下地４にブレーカーユニット２を取り付け結線する。さらに、盤下地４の上下それぞれに配置された扉下地８に、扉ユニット５３を固定手段を用いて締結する。【選択図】  図１
2004166338.tif 000002
【特許請求の範囲】
【請求項１】
ブレーカーユニットと、内壁下地材に取付けられて前記ブレーカーユニットが固定される盤下地と、該盤下地の周囲に配置されて前記内壁下地材に取付けられる扉下地と、該扉下地に直接固定される扉ユニットと、を備えることを特徴とする分電盤。
【請求項２】
請求項１記載の分電盤であって、ブレーカーユニットを固定する前記盤下地は、Ｌ字板を２枚組み合わせてコの字型を形成する２分割フレームで構成されることを特徴とする分電盤。
【請求項３】
内壁下地材を施工後、鉛直方向に立設する２本の該内壁下地材を連結するように盤下地を取り付るとともに、該盤下地の上下位置にそれぞれ前記内壁下地材を連結するように扉下地を取り付け、内壁ボードの施工および内壁仕上げを施した後に分電盤の設置位置を開口し、前記盤下地にブレーカーユニットを固定して結線して、前記扉下地に扉ユニットを取り付けることを特徴とする分電盤の取付け方法。
【発明の詳細な説明】
【０００１】
【発明の属する技術分野】
本発明は、一般の間仕切り壁にも設置可能で、かつ改修後のＥＰＳ設置や増設を容易にする低コストで省スペースな分電盤および分電盤の取付け方法に関する。
【０００２】
【従来の技術】
従来より、電気設備に係る施工性の向上や工費削減を目的として、電気設備用のスペースをユニット化する構成やユニットの施工方法が、例えば特許文献１に示されている。
【０００３】
【特許文献１】
特開平０６−９０５１２号公報（第１図参照）
【０００４】
具体例として、図４に、従来の隠蔽型分電盤の詳細を示す。符号５１は隠蔽型分電盤、５２はブレーカーユニット、５４は木板、５５は扉付き箱、５６は内壁下地材を示している。従来より、隠蔽型分電盤５１は、木板５４に固定したブレーカーユニット５２をスチールもしくは合成樹脂の扉付き箱５５に納めて、該扉付き箱５５を内壁下地材５６に取り付けて建築物の内壁に納めるものである。
【０００５】
【発明が解決しようとする課題】
従来より、一般的に用いられているスチール製の扉付き箱５５は、奥行きが最小でも１３０ｍｍ必要なため、隠蔽型分電盤５１の設置には、最小でも１３０ｍｍ以上の壁厚が必要となる。さらに、該扉付き箱５５の中に納めるブレーカーユニット５２は木板５４に固定されるが、該木板５４は前記ブレーカーユニット５２の荷重に耐えるべく、相応の部材厚が必要となるため、該扉付き箱５５にはこれらを収容できる奥行きが必要となる。
【０００６】
また、改修工事の際には該扉付き箱５５の奥行きが深いため、一般の間仕切壁の奥行きには納まらないだけでなく、新たにＥＰＳを設置する場合や、隠蔽式分電盤５１を増設する場合は、建築物の内壁でこれらの設置場所を新たに確保することが困難である。
【０００７】
一方で、一般に隠蔽式分電盤５１では、ブレーカーユニット５２を納める前記扉付き箱５５がコスト高であり、該隠蔽式分電盤５１に対する全体コストの５０〜７０％を要する。
【０００８】
上記事情に鑑み、一般の間仕切り壁にも設置可能で、かつ改修後のＥＰＳ設置や増設を容易にする低コストで省スペースな分電盤、および分電盤の取付け方法を提供することを目的としている。
【０００９】
【課題を解決するための手段】
請求項１記載の分電盤では、ブレーカーユニットと、内壁下地材に取付けられて前記ブレーカーユニットが固定される盤下地と、該盤下地の周囲に配置されて前記内壁下地材に取付けられる扉下地と、該扉下地に直接固定される扉ユニットと、を備えることを特徴としている。
【００１０】
請求項２記載の分電盤では、ブレーカーユニットを固定する前記盤下地は、Ｌ字板を２枚組み合わせてコの字型を形成する２分割フレームで構成されることを特徴としている。
【００１１】
請求項３記載の分電盤の取付け方法では、内壁下地材を施工後、鉛直方向に立設する２本の該内壁下地材を連結するように盤下地を取り付るとともに、該盤下地の上下位置にそれぞれ前記内壁下地材を連結するように扉下地を取り付け、内壁ボードの施工および内壁仕上げを施した後に分電盤の設置位置を開口し、前記盤下地にブレーカーユニットを固定して結線して、前記扉下地に扉ユニットを取り付けることを特徴としている。
【００１２】
【発明の実施の形態】
図１に本発明に係る分電盤の詳細を示す。符号１は分電盤、２はブレーカーユニット、３は扉ユニット、４は盤下地、７は内壁下地材を示す。図１から分かるように、分電盤１には従来用いられていたような前記扉付き箱５５は存在せず、壁内面１１と、内壁下地材７と、扉ユニット３により仮想の扉付き箱５５が形成されている。
【００１３】
本発明の分電盤１は、ブレーカーユニット２と、該ブレーカーユニット２が固定される盤下地４と、該盤下地４の上下に配置される扉下地８と、該扉下地８に直接固定される扉ユニット３と、を備えている。前記ブレーカーユニット２は、ブレーカー高さが小さく、家庭用分電盤として一般に使用されている安全ブレーカー、およびブレーカーフレームを適用している。
【００１４】
該ブレーカーユニット２が固定される盤下地４には、薄い部材厚でも該ブレーカーユニット２を固定した際の荷重に耐えることのできるスチール部材を用いている。また、該盤下地４は、第１Ｌ字板５と第２Ｌ字板６を重ね合わせた２分割フレームで構成されており、第１Ｌ字板５は、第２面５ｂが内壁下地材７に接するとともに、固定手段を用いて締結されており、第１面５ａの外面は、壁内面１１に接する状態となっている。第２Ｌ字板６は、第２面６ｂが前記内壁下地材７に接するとともに、固定手段を用いて締結されており、前記第２Ｌ字板６の第１面６ａは、前記第１Ｌ字板５の第１面５ａの内面に重なるように接しながら、固定手段により締結されている。さらに、該第２Ｌ字板６の第１面６ａの内側には、前記ブレーカーユニット２が固定手段により取り付けられている。
【００１５】
前記盤下地４を構成する前記第２Ｌ字板６の第１面６ａに設けられた固定手段締結用の孔は、横方向の長孔となっており、前記盤下地４の幅が微調整できるようになっている。また、前記盤下地４を構成する前記第１Ｌ字板５の第２面５ｂ、および前記第２Ｌ字板６の第２面６ｂそれぞれに設けられた内壁下地材７への固定手段締結用の孔も、縦方向の長孔となっており、該内壁下地材７に対して前記盤下地４の位置を上下方向に微調整することが可能となっている。
【００１６】
該盤下地４の上下に設けられた前記扉下地８についても、前記盤下地４と同様にＬ字板のスチール製部材を用いた２分割フレームを採用している。該扉下地８を構成する第１Ｌ字板９は、第２面９ｂが内壁下地材７に接しており、かつ固定手段を用いて締結されている。該第１Ｌ字板９の第１面９ａは、その外面が扉ユニット３に接する状態であり、かつ該扉ユニット３を締結した際に、該扉ユニット３が、内壁に対してほぼ平面となるよう、該扉ユニット３の厚身分だけ内壁面より後退させた状態で、前記内壁下地材７に取付けられている。前記扉下地８を構成する第２Ｌ字板１０は、第２面１０ｂが内壁下地材７に接する状態で固定手段を用いて締結されており、第２Ｌ字板１０の第１面１０ａは、その外面が前記第１Ｌ字板９の第１面９ａの内面に重なるように接しており、かつ固定手段により締結されている。
【００１７】
前記扉下地８を構成する前記第１Ｌ字板９の第１面９ａに設けられた固定手段締結用の孔は、横方向の長孔となっており、前記扉下地８の幅が微調整できるようになっている。また、前記扉下地８を構成する前記第１Ｌ字板９の第２面９ｂ、および前記第２Ｌ字板１０の第２面１０ｂそれぞれに設けられた前記内壁下地材７への固定手段締結用の孔も、縦方向の長孔となっており、前記内壁下地材７に対して前記扉下地８の位置を上下方向に微調整することが可能となっている。
【００１８】
該扉下地８に取り付けられる前記扉ユニット５３は、扉フレーム５３ａと扉５３ｂより構成されるもので、現行で用いられているものと同様のものを採用している。なお、コストの縮減化を考慮して従来の扉フレーム５３ａを改良し、図２に示すような扉ユニット３を用いても良い。
【００１９】
該扉ユニット３を構成する扉フレーム３ａは、従来の前記扉フレーム５３ａの上下の縁を無くしたもので、１枚板の左右それぞれが長方体を形成するように折り込まれているとともに、中央部が開口されることで形成されたものである。このように製作された該扉ユニット３は、簡略な構成であるとともに、溶接箇所も少ないため製作が容易である。また、正面に溶接箇所が見えない等の工夫がなされている。
【００２０】
次に、本発明の取付け方法を示す。あらかじめ、前記内壁下地材７の設置幅に前記盤下地４が納まるよう、該盤下地４を構成する前記第２Ｌ字板６の第１面６ａに設けられた固定手段締結用の長孔を用いて、該盤下地４の幅を調整しておく。内壁下地材７を施工した後に、前記分電盤１を設置したい所望位置に幅調整済みの前記盤下地４を構成する第１Ｌ字板５の第２面５ｂ、および第２Ｌ字板の第２面６ｂを、それぞれ前記内壁下地材７に固定手段を用いて締結する。
【００２１】
このとき、内壁下地材７に対する該壁下地４の高さ位置について、前記盤下地４を構成する前記第１Ｌ字板５の第２面５ｂ、および前記第２Ｌ字板６の第２面６ｂそれぞれに設けられた固定手段締結用の長孔を用いて微調整を行う。
【００２２】
次に、該盤下地４の幅と同様になるように、前記扉下地８を構成する前記第２Ｌ字板１０の第１面１０ａに設けられた固定手段締結用の長孔を用いて前記扉下地の幅を調整した後、前記盤下地４の上下の位置で、上下の前記扉下地８の設置間隔が、後に取り付ける扉ユニット３の高さに相当する間隔を確保するように、前記内壁下地材７に前記扉下地８を固定手段を用いて締結する。
【００２３】
このとき、該扉下地８は前記扉ユニット３を締結した際に、該扉ユニット３が、内壁より突出することなく平面となるよう、該扉ユニット３の厚身分だけ内壁面より後退させた状態で、前記内壁下地材７に取付けられている。また、内壁下地材７に対する該扉下地８の高さ位置について、前記扉下地８を構成する前記第１Ｌ字板９の第２面９ｂ、および前記第２Ｌ字板１０の第２面１０ｂそれぞれに設けられた固定手段締結用の長孔を用いて高さ位置の微調整を行う。
【００２４】
これらを取り付けた後、前記内壁下地材７に対して図示しない内壁ボードを取り付けるとともに、同じく図示しないクロス等の仕上げを施工して内壁を仕上げる。その後、前記分電盤１を設置する前記盤下地４および前記扉下地８を設置した箇所の内壁を開口し、前記盤下地４に前記ブレーカーユニット２を取り付け結線する。さらに、前記盤下地４の上下それぞれに配置された前記扉下地８に、前記扉ユニット３を固定手段を用いて締結する。
【００２５】
なお、前記分電盤１の扉３ｂは扉ユニット３だけでなく、天井点検口で用いられるようなウォールパネルを内壁用に改良して用いてもよい。
【００２６】
上記の構成によれば、従来の隠蔽型分電盤５１に用いられていた扉付き箱５５は扉ユニット３のみとなり、扉付き箱５５自体にかかっていたコストを大幅に低減することが可能となる。さらに、前記扉ユニット３を構成する扉フレーム３ａを１枚板より形成することにより、さらに材料費や該扉フレーム３ａの製作費を一層低減でき、低コスト化を実現できる。
【００２７】
また、前記分電盤１は、内壁内に前記盤下地４を介して直接ブレーカーユニット２を前記内壁下地材７に取り付けるため、奥行きを余計に取ることなく一般の間仕切壁内にも十分納まることから、省スペース化を図ることが可能となり、レンタブル比の向上を図ることができる。
【００２８】
このように、該分電盤１は省スペース化が図られることから、場所を選ぶことなくどのスペースにも納まるため、テナントビル等においてブレーカー数が増加しても容易に増設が可能である。
【００２９】
さらに、改装を行う際に、図３に示すような、分電盤１、分岐ケーブル１２、弱電端子盤１３、及び幹線ケーブル１４等を収めたＥＰＳ１５が適切な位置に見つからない場合においても、梁にかからない間仕切り壁を利用して分電盤１を設置することが可能となる。
【００３０】
前記分電盤１は、ブレーカーユニット２と扉ユニット３が分離されているため、施主のニーズに合った扉ユニット３を建築工事として選定することができ、天井点検口で利用されるような安価なウォールパネルを内壁用に改良して用いることも可能である。
【００３１】
また、前記ブレーカーユニット２として、家庭用分電盤で使用される安価な安全ブレーカーと、ブレーカーフレームをそのまま活用できるため、分電盤自体のコストを低減することができる。
【００３２】
【発明の効果】
請求項１の分電盤によれば、ブレーカーユニットと、左右に位置する内壁下地材に固定されて前記ブレーカーユニットが固定される盤下地と、該盤下地の上下に配置されて左右の内壁下地材にそれぞれ固定される扉下地と、扉下地に直接固定される扉ユニットと、を備えることから、従来の扉付き箱が不要となりコスト低減に資するとともに、奥行きを余計に取ることなく一般の間仕切壁内にも十分納まることから、省スペース化を図ることが可能となり、レンタブル比の向上を図ることができる。また、場所を選ぶことなくどのスペースにも納まるため、テナントビル等においてブレーカー数が増加しても容易に増設が可能である。さらに、改装を行う際に適切なＥＰＳが見つからない場合においても、梁にかからない間仕切り壁を利用することが可能となる。
【００３３】
請求項２の分電盤によれば、ブレーカーユニットを固定する盤下地は、Ｌ字型の板を２枚組み合わせてコの字型を形成する２分割フレームとすることから、内壁下地材の設置位置に併せた盤下地の幅の調整や、内壁下地に対する上下位置の微調整が容易で施工性に優れている。
【００３４】
請求項３の分電盤の取付け方法によれば、内壁下地材を施工後、鉛直方向に立設する２本の内壁下地材を連結するように盤下地を取り付るとともに、該盤下地の上下位置にそれぞれ前記内壁下地材を連結するように扉下地を取り付け、内壁ボードの施工および内壁仕上げを施して分電盤の設置位置を開口した後に、前記盤下地にブレーカーユニットを固定して結線して、前記扉下地に扉ユニットを取り付けることから、ブレーカーユニットと扉ユニットが分離されているため、施主のニーズに合った扉ユニットを建築工事として選定することができるとともに、天井点検口で利用されるような安価なウォールパネルを内壁用に改良して用いることも可能となるなど、低コスト化を図ることができる。
【図面の簡単な説明】
【図１】本発明に係る分電盤の詳細を示す。
【図２】本発明に係る１枚板を用いた扉の詳細を示す。
【図３】本発明に係るリニューアル時のＥＰＳ増設の場合の例を示す。
【図４】従来の隠蔽型分電盤の詳細を示す。
【符号の説明】
１  分電盤
２  ブレーカーユニット
３  扉ユニット
３ａ  扉フレーム
３ｂ  扉
４  盤下地
５  第１Ｌ字板
５ａ  第１面
５ｂ  第２面
６  第２Ｌ字板
６ａ  第１面
６ｂ  第２面
７  内壁下地材
８  扉下地
９  第１Ｌ字板
９ａ  第１面
９ｂ  第２面
１０  第２Ｌ字板
１０ａ  第１面
１０ｂ  第２面
１１  壁内面
１２  分岐ケーブル
１３  弱電端子盤
１４  幹線ケーブル
１５  ＥＰＳ
５１  隠蔽型分電盤
５２  ブレーカーユニット
５３  扉ユニット
５３ａ  扉フレーム
５３ｂ  扉
５４  木板
５５  扉付き箱
５６  内壁下地材
【図１】
2004166338.tif 000003
【図２】
2004166338.tif 000004
【図３】
2004166338.tif 000005
【図４】
2004166338.tif 000006